【手続補正書】
【提出日】平成25年12月6日(2013.12.6)
【手続補正１】
【補正対象書類名】明細書
【補正対象項目名】発明の名称
【補正方法】変更
【補正の内容】
【発明の名称】撮像装置、その制御方法、プログラム及び記憶媒体
【手続補正２】
【補正対象書類名】明細書
【補正対象項目名】０００１
【補正方法】変更
【補正の内容】
【０００１】
本発明は、撮像装置、その制御方法、プログラム及び記憶媒体に関し、特に、撮像装置における画像信号の生成に関する。
【手続補正３】
【補正対象書類名】明細書
【補正対象項目名】００１８
【補正方法】変更
【補正の内容】
【００１８】
従って、本発明の目的は、撮影者の意図した構図（縦位置構図又は横位置構図）で撮影した画像を立体像として鑑賞するための画像信号を生成することのできる撮像装置、その制御方法、プログラム及び記憶媒体を提供することにある。
【手続補正４】
【補正対象書類名】明細書
【補正対象項目名】００１９
【補正方法】変更
【補正の内容】
【００１９】
上記の目的を達成するために、本発明による撮像装置は、光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置であって、前記撮像装置で撮像を行う際、前記撮像装置の姿勢を判定する判定手段と、前記判定手段による判定結果に応じて、前記単位画素の各々において前記複数の光電変換素子をグループ分けして複数の光電変換素子群とするグループ化手段と、前記光電変換素子群からそれぞれ出力される撮像信号から複数の画像信号を生成する生成手段と、を有することを特徴とする。
【手続補正５】
【補正対象書類名】明細書
【補正対象項目名】００２０
【補正方法】変更
【補正の内容】
【００２０】
本発明による撮像装置の制御方法は、光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置を制御する方法であって、前記撮像装置で撮像を行う際、前記撮像装置の姿勢を判定する判定ステップと、前記判定の結果に応じて、前記単位画素の各々において前記複数の光電変換素子をグループ分けして複数の光電変換素子群とするグループ化ステップと、前記光電変換素子群からそれぞれ出力される撮像信号から複数の画像信号を生成する生成ステップと、を有することを特徴とする。
【手続補正６】
【補正対象書類名】明細書
【補正対象項目名】００２１
【補正方法】変更
【補正の内容】
【００２１】
本発明によるプログラムは、光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置を制御するための制御方法を前記撮像装置が備えるコンピュータに実行させるためのプログラムであって、前記制御方法は、前記撮像装置で撮像を行う際、前記撮像装置の姿勢を判定する判定ステップと、前記判定の結果に応じて、前記単位画素の各々において前記複数の光電変換素子をグループ分けして複数の光電変換素子群とするグループ化ステップと、前記光電変換素子群からそれぞれ出力される撮像信号から複数の画像信号を生成する生成ステップと、を有することを特徴とする。
【手続補正７】
【補正対象書類名】特許請求の範囲
【補正対象項目名】全文
【補正方法】変更
【補正の内容】
【特許請求の範囲】
【請求項１】
光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置であって、
前記撮像装置で撮像を行う際、前記撮像装置の姿勢を判定する判定手段と、
前記判定手段による判定結果に応じて、前記単位画素の各々において前記複数の光電変換素子をグループ分けして複数の光電変換素子群とするグループ化手段と、
前記光電変換素子群からそれぞれ出力される撮像信号から複数の画像信号を生成する生成手段と、を有することを特徴とする撮像装置。
【請求項２】
前記判定手段は、前記撮像装置の水平面に対する傾きを検知して傾き情報を得る傾き検知手段を有し、
前記傾き情報に応じて、前記撮像装置の姿勢を判定するようにしたことを特徴とする請求項１記載の撮像装置。
【請求項３】
前記撮像素子は長辺および短辺を有する長方形状であり、
前記撮像素子の長辺と水平面とがなす第１の角度と前記撮像素子の短辺と水平面とがなす第２の角度とに応じて、前記判定手段は前記撮像装置の姿勢を判定するようにしたことを特徴とする請求項１記載の撮像装置。
【請求項４】
前記単位画素は２次元マトリックス状に配置されており、さらに、前記単位画素において前記複数の光電変換素子が２次元マトリックス状に配置されており、
前記判定手段は、前記第１の角度が前記第２の角度よりも小さいと前記撮像装置の姿勢が横位置であると判定し、前記第１の角度が前記第２の角度よりも大きいと前記撮像装置の姿勢が縦位置であると判定し、
前記グループ化手段は、前記判定手段により前記撮像装置の姿勢が横位置であると判定された場合に、前記短辺に平行に配置された前記複数の光電変換素子を１つのグループとしてグループ化して前記光電変換素子群とし、前記判定手段により前記撮像装置の姿勢が縦位置であると判定された場合に、前記長辺に平行に配置された前記複数の光電変換素子を１つのグループとしてグループ化して前記光電変換素子群とすることを特徴とする請求項３記載の撮像装置。
【請求項５】
ユーザが、前記横位置および前記縦位置のいずれか一方を設定するための設定手段を有し、
前記判定手段による前記撮像装置の姿勢の判定結果に拘わらず、前記グループ化手段はユーザによる設定に応じて前記グループ化を行うことを特徴とする請求項４記載の撮像装置。
【請求項６】
前記判定手段による判定が不能であると、判定不能である旨を表示部に表示してユーザによる設定を行うことを促す表示制御手段を有することを特徴とする請求項５記載の撮像装置。
【請求項７】
光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置を制御する方法であって、
前記撮像装置で撮像を行う際、前記撮像装置の姿勢を判定する判定ステップと、
前記判定の結果に応じて、前記単位画素の各々において前記複数の光電変換素子をグループ分けして複数の光電変換素子群とするグループ化ステップと、
前記光電変換素子群からそれぞれ出力される撮像信号から複数の画像信号を生成する生成ステップと、
を有することを特徴とする撮像装置の制御方法。
【請求項８】
光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置を制御するための制御方法を前記撮像装置が備えるコンピュータに実行させるためのプログラムであって、
前記制御方法は、
前記撮像装置で撮像を行う際、前記撮像装置の姿勢を判定する判定ステップと、
前記判定の結果に応じて、前記単位画素の各々において前記複数の光電変換素子をグループ分けして複数の光電変換素子群とするグループ化ステップと、
前記光電変換素子群からそれぞれ出力される撮像信号から複数の画像信号を生成する生成ステップと、を有することを特徴とするプログラム。
【請求項９】
光学像を電気信号である撮像信号に変換する撮像素子を備え、当該撮像素子が複数の単位画素を備え、前記単位画素の各々が前記光学像を前記撮像信号に変換するための複数の光電変換素子を有する撮像装置を制御するための制御方法を前記撮像装置が備えるコンピュータに実行させるコンピュータ実行可能なプログラムが記録されたコンピュータで読み取り可能な記憶媒体であって、
前記制御方法は、
前記撮像装置で撮像を行う際、前記撮像装置の姿勢を判定する判定ステップと、
前記判定の結果に応じて、前記単位画素の各々において前記複数の光電変換素子をグループ分けして複数の光電変換素子群とするグループ化ステップと、
前記光電変換素子群からそれぞれ出力される撮像信号から複数の画像信号を生成する生成ステップと、を有することを特徴とする記憶媒体。